(57)【要約】【課題】低コストで自動昇降可能なタンクローリやコンテナなどの背高の運搬容器に付設される作業用昇降装置およびこれを備えたタンクローリ並びにコンテナの提供。【解決手段】運搬容器に付設される作業用昇降装置５であって、支持フレーム１０と、この支持フレーム１０に昇降可能に支持されたタラップ１１と、支持フレーム１０の上方に回転可能に支持された定滑車１２と、タラップ１１に一端が固定され、定滑車１２に掛けられたチェーン１３と、油圧の作用により伸縮する伸縮シリンダ１４であり、支持フレーム１０の下方に支持され、縮退時にチェーン１３を引き下げる伸縮シリンダ１４と、伸縮シリンダ１４に回転可能に支持された動滑車１５とを含む。【選択図】図２
2010215119.tif 000002
【特許請求の範囲】
【請求項１】
運搬容器に付設される作業用昇降装置であって、
支持フレームと、
前記支持フレームに昇降可能に支持されたタラップと、
前記支持フレームの上方に回転可能に支持された定滑車と、
前記タラップに一端が固定され、前記定滑車に掛けられた索状体と、
流体の出入りにより伸縮する伸縮シリンダであり、前記支持フレームの下方に支持され、縮退時に前記索状体を引き下げる伸縮シリンダと
を含む作業用昇降装置。
【請求項２】
前記索状体は、他端が前記支持フレームの上方に固定されたものであり、
さらに、前記索状体に掛けられ、前記伸縮シリンダに回転可能に支持された動滑車を含む請求項１記載の作業用昇降装置。
【請求項３】
前記タラップは、垂直部分を含むフレームと、このフレーム垂直部分の上下に並べて配置された複数のガイドローラとを備えるものであり、
前記支持フレームは、前記複数のガイドローラを垂直方向にガイドするものである
請求項１または２に記載の作業用昇降装置。
【請求項４】
シャシフレーム上に前記運搬容器としてのタンクが搭載されたタンクローリであって、
請求項１から３のいずれかに記載の作業用昇降装置を前記シャシフレームまたは前記タンクの後部に備えたタンクローリ。
【請求項５】
前記シャシフレームの後端部にバンパーを備え、
前記作業用昇降装置は前記バンパーと前記タンクとの間に配設されたものである請求項４記載のタンクローリ。
【請求項６】
請求項１から３のいずれかに記載の作業用昇降装置を前記運搬容器としてのコンテナ本体の側面に着脱可能に備えたコンテナ。
【発明の詳細な説明】
【技術分野】
【０００１】
本発明は、タンクローリやコンテナなどの背高の運搬容器に付設される作業用昇降装置およびこれを備えたタンクローリ並びにコンテナに関する。
【背景技術】
【０００２】
タンクローリは、固体、液体や気体などの運搬物を運搬する特殊用途自動車であり、タンク内は複数のタンク室に区画されている。そして、各タンク室には、それぞれ異なった種類の運搬物が積み込まれることも多い。そのため、運搬物の積み込みおよび積み降ろしに際しては、それぞれのタンク室ごとに、地上とタンクの上面との間を梯子により昇降し、何回も往復して作業しなければならず、肉体的負担が多い。
【０００３】
そこで、この肉体的負担を軽減するため、例えば特許文献１に記載のように、タンクローリのタンクの背面に付設され、地面近くとタンクの上面付近間を昇降可能な作業用昇降装置であって、タンクの背面に縦に設けられた支持フレームと、支持フレームに保持、ガイドされつつ地面近くとタンクの上面付近間を昇降可能で足場を備えた装置本体と、タンクの背面の上下付近にそれぞれ配設されたプーリーと、上下のプーリー間に掛け渡されると共に装置本体に連結されたベルトと、プーリーに連結されベルトを正逆に走行させるモータと、装置本体に付設されモータの作動を制御するスイッチとを有してなる作業用昇降装置が開発されている。
【先行技術文献】
【特許文献】
【０００４】
【特許文献１】特開平９−２４０３５９号公報
【発明の概要】
【発明が解決しようとする課題】
【０００５】
特許文献１に記載の作業用昇降装置では、モータの駆動力により直接プーリーを回転させてベルトを正逆に走行させることによって、作業者を載せた状態で装置本体を昇降させるので、モータは大容量のものが必要となる。また、大きな駆動力により装置本体を昇降させるために減速機を使用した場合には昇降に要する時間が長くなる。さらに、このようなモータ駆動では、停止した際に作業者および装置本体の荷重によってモータが逆回転してしまうため、ブレーキなどの機械式ロック機構が必要となる。したがって、この作業用昇降装置では、大容量の機械式ロック機構付きモータが必要となり、コスト高となる。
【０００６】
そこで、本発明においては、低コストで自動昇降可能なタンクローリやコンテナなどの背高の運搬容器に付設される作業用昇降装置およびこれを備えたタンクローリ並びにコンテナを提供することを目的とする。
【課題を解決するための手段】
【０００７】
本発明の作業用昇降装置は、運搬容器に付設される作業用昇降装置であって、支持フレームと、この支持フレームに昇降可能に支持されたタラップと、支持フレームの上方に回転可能に支持された定滑車と、タラップに一端が固定され、定滑車に掛けられた索状体と、流体圧の作用により伸縮する伸縮シリンダであり、支持フレームの下方に支持され、縮退時に索状体を引き下げる伸縮シリンダとを含むものである。
【０００８】
本発明の作業用昇降装置によれば、伸縮シリンダの縮退動作により索状体を引き下げて、この索状体の一端に固定されたタラップを上昇させることができる。一方、タラップの下降時には、タラップおよびタラップ上の作業者の自重により伸縮シリンダを伸長させて索状体を上げ、この索状体の一端に固定されたタラップを下降させることができる。すなわち、この作業用昇降装置では、伸縮シリンダに対して引っ張り側にのみ荷重を受けるので、伸縮シリンダの座屈が起こることがなく、細い伸縮シリンダにより昇降可能なタラップを実現できる。また、伸縮シリンダは流体の出入りにより伸縮するため、タラップを停止させる際には流体の出入りを止めるだけで良く、ブレーキは不要である。また、タラップの昇降速度は流体の出入りの速度を調整することで任意に設定することが可能である。
【０００９】
ここで、本発明の作業用昇降装置は、索状体が、他端が支持フレームの上方に固定されたものであり、さらに、索状体に掛けられ、伸縮シリンダに回転可能に支持された動滑車を含むものであることが望ましい。これにより、伸縮シリンダのストロークに対してタラップを２倍の高さまで上昇させることができるので、限られた上下スペース内で高い位置まで上昇させることが可能なタラップを実現できる。
【００１０】
また、タラップは、垂直部分を含むフレームと、この垂直部分の上下に並べて配置された複数のガイドローラとを備えるものであり、支持フレームは、複数のガイドローラを垂直方向にガイドするものであることが望ましい。これにより、タラップが昇降する際にその姿勢を保ったまま上下に昇降することが可能となり、タラップが揺れたり、ふらついたりするのを防止することができる。
【００１１】
また、本発明のタンクローリは、シャシフレーム上に運搬容器としてのタンクが搭載されたタンクローリであって、上記作業用昇降装置をシャシフレームまたはタンクの後部に備えたものである。本発明によれば、上記作業用昇降装置を使用して地上とタンクの上面との間を容易に自動昇降可能なタンクローリが得られる。
【００１２】
ここで、本発明のタンクローリは、シャシフレームの後端部にバンパーを備え、作業用昇降装置はバンパーとタンクとの間に配設されたものであることが望ましい。これにより、タンクローリの走行時に邪魔になることがなく、作業用昇降装置を装着したまま走行することができる。
【００１３】
また、本発明のコンテナは、上記作業用昇降装置を運搬容器としてのコンテナ本体の側面に着脱可能に備えたものである。これにより、作業時には上記作業用昇降装置をコンテナ本体の側面に装着して地上とコンテナの上面との間を容易に自動昇降することが可能となる。また、コンテナをトレーラや船舶などに積載する際にはコンテナ本体の側面から取り外すことで、積載時に邪魔になることがない。なお、コンテナ本体の側面とは、コンテナ本体の長手方向の前方、後方および左右の側面を含む。
【発明の効果】
【００１４】
（１）支持フレームと、この支持フレームに昇降可能に支持されたタラップと、支持フレームの上方に回転可能に支持された定滑車と、タラップに一端が固定され、定滑車に掛けられた索状体と、流体圧の作用により伸縮する伸縮シリンダであり、支持フレームの下方に支持され、縮退時に索状体を引き下げる伸縮シリンダとを含む構成により、細い伸縮シリンダにより昇降可能なタラップを実現でき、タラップを停止させるためのブレーキも不要であるため、低廉な作業用昇降装置が得られる。また、タラップの昇降速度は流体の出入りの速度を調整することで任意に設定することが可能であり、自由度が高い。
【００１５】
（２）索状体が、他端が支持フレームの上方に固定されたものであり、さらに、索状体に掛けられ、伸縮シリンダに回転可能に支持された動滑車を含むものであることにより、伸縮シリンダのストロークに対してタラップを２倍の高さまで上昇させることができるので、限られた上下スペース内で高い位置まで上昇させることが可能なタラップを実現できる。
【００１６】
（３）タラップが、垂直部分を含むフレームと、この垂直部分の上下に並べて配置された複数のガイドローラとを備えるものであり、支持フレームが、複数のガイドローラを垂直方向にガイドするものであることにより、タラップが昇降する際にその姿勢を保ったまま上下に昇降することが可能となり、タラップが揺れたり、ふらついたりするのを防止することができる。
【００１７】
（４）上記作業用昇降装置をシャシフレームまたはタンクの後部に備えたタンクローリによれば、上記作業用昇降装置を使用して地上とタンクの上面との間を容易に自動昇降することが可能であり、地上とタンクの上面との間を往復して作業する際の肉体的負担を軽減することができる。
【００１８】
（５）シャシフレームの後端部にバンパーを備え、作業用昇降装置がバンパーとタンクとの間に配設されたタンクローリにより、タンクローリの走行時に邪魔になることがなく、作業用昇降装置を装着したまま走行することができる。
【００１９】
（６）上記作業用昇降装置を運搬容器としてのコンテナ本体の側面に着脱可能に備えたコンテナにより、作業時には上記作業用昇降装置をコンテナ本体の側面に装着して地上とコンテナの上面との間を容易に自動昇降することが可能であり、地上とコンテナの上面との間を往復して作業する際の肉体的負担を軽減することができる。また、コンテナをトレーラや船舶などに積載する際にはコンテナ本体の側面から取り外すことで、積載時に邪魔になることがない。
【図面の簡単な説明】
【００２０】
【図１】本発明の実施の形態における作業用昇降装置を備えたタンクローリの後部側面図である。
【図２】図１のタンクローリの背面図である。
【図３】図１の作業用昇降装置が最も下がった状態を示すタンクローリの背面図である。
【図４】図１のタンクローリの作業用昇降装置周辺の平面図である。
【図５】図１のＡ矢視図である。
【図６】図２のＢ部拡大図である。
【図７】図６のＣ−Ｃ断面図である。
【発明を実施するための形態】
【００２１】
図１は本発明の実施の形態における作業用昇降装置を備えたタンクローリの後部側面図、図２は図１のタンクローリの背面図、図３は図１の作業用昇降装置が最も下がった状態を示す背面図、図４は図１のタンクローリの作業用昇降装置周辺の平面図、図５は図１のＡ矢視図、図６は図２にＢ部拡大図、図７は図６のＣ−Ｃ断面図である。
【００２２】
図１から図４に示すように、本発明の実施の形態におけるタンクローリ１は、シャシフレーム２上に固体、液体や気体などの運搬物を収容するタンク３が搭載されたものである。シャシフレーム２の後端部にはバンパー４を備えている。また、シャシフレーム２上のタンク３後部とバンパー４との間には、作業用昇降装置５が配設されている。
【００２３】
作業用昇降装置５は、シャシフレーム２に固定された支持フレーム１０と、支持フレーム１０に昇降可能に支持されたタラップ１１と、支持フレーム１０の上方に回転可能に支持された定滑車１２と、一端がタラップ１１に、他端が支持フレーム１０の上方にそれぞれ固定された索状体としてのチェーン１３と、支持フレーム１０の下方に支持されたアクチュエータとしての伸縮シリンダ１４と、伸縮シリンダ１４に回転可能に支持された動滑車１５と等から構成される。
【００２４】
支持フレーム１０は、タンクローリ１の側面から視て左右対称に配置された２本のガイドレール１０ａと、２本のガイドレール１０ａ間を連結する横杆１０ｂ等により構成されている。ガイドレール１０ａは、図７に示すようにＣ字状断面を有している。なお、左右のガイドレール１０ａは開口部分１０ａ’が向かい合わされて配置されている。また、図６に示すように、支持フレーム１０上部でガイドレール１０ａ間を連結する横杆１０ｃの中央には、定滑車１２を回転可能に支持する定滑車支持部１０ｄが固定されている。
【００２５】
タラップ１１は、タンクローリ１の背面から視てＬ字状に形成された垂直部分および水平部分からなる昇降フレーム２０と、昇降フレーム２０の水平部分上に配置された足場板２１と、昇降フレーム２０に固定された安全柵２２と、昇降フレーム２０の垂直部分の上下左右の合計４カ所に配置されたガイドローラ２３と、ガイドローラ２３を昇降フレーム２０にそれぞれ回転可能に支持するガイドローラ支持軸２４と、チェーン１３の一端が固定される固定部２５と、安全柵２２の開放部を閉じる安全鎖２６等から構成されている。ガイドローラ２３は、開口部分１０ａ’を通じて支持フレーム１０内に支持される。
【００２６】
チェーン１３は、一端が昇降フレーム２０の固定部２５に固定され、定滑車１２の上側および動滑車１５の下側に掛けられ、他端が支持フレーム１０の上部固定部１０ｅに固定されている。
【００２７】
伸縮シリンダ１４は、油圧により伸縮する油圧シリンダである。伸縮シリンダ１４の一端は支持フレーム１０の下方の横杆１０ｂの中央に支持されている。また、伸縮シリンダ１４の他端には、図５に示すように動滑車１５を回転可能に支持する動滑車支持部１４ａが固定されている。この伸縮シリンダ１４を縮退させると、動滑車１５が引き下げられる。これにより、チェーン１３が下方へ引っ張られ、定滑車１２を通じてタラップ１１が引き上げられる。
【００２８】
次に、上記構成の作業用昇降装置５の動作について説明する。
図３に示すように作業用昇降装置５は、初期位置では伸縮シリンダ１４が伸びた状態にあり、動滑車１５はタラップ１１の自重によりチェーン１３によって引き上げられている。したがって、タラップ１１は下方位置にあり、作業者は地面近くで昇降フレーム２０の足場板２１上に載ることができる。
【００２９】
作業者は、この足場板２１上に安全柵１１の開放部分から乗り込んだ後、この開放部分を安全鎖２６により閉じる。そして、手元に配置された操作スイッチ（図示せず。）を操作して伸縮シリンダ１４を動作させる。なお、詳述しないが、伸縮シリンダ１４は操作スイッチの上昇ボタンを押すと縮退するようにバルブが切り換えられて圧油が供給されるようになっている。逆に、伸縮シリンダ１４は下降ボタンを押すと伸長するようになっている。
【００３０】
そして、伸縮シリンダ１４が縮退すると、支持フレーム１０の上方位置にあった動滑車１５が引き下げられる。これに伴い、チェーン１３が引き下げられ、タラップ１１は引き上げられる。タラップ１１が図２に示す上端位置まで引き上げられると、バルブが切り換えられて伸縮シリンダ１４への圧油の供給が停止し、圧油の移動がロックされて、タラップ１１はその位置で停止する。これにより作業者は、安全鎖２６を外し、タンク３の上面へ移動することができる。
【００３１】
一方、タンク３の上面から降りる際には、タンク３の上面からタラップ１１の足場板２１上に乗り込み、安全鎖２６を閉じる。そして、手元の操作スイッチを操作して伸縮シリンダ１４を動作させる。これにより、伸縮シリンダ１４の圧油の移動が自由となり、タラップ１１は自重および作業者の体重により動滑車１５を引き上げ、伸縮シリンダ１４を伸長させる。これにより、タラップ１１は図３に示す下端位置まで下がり、作業者は地面近くで昇降フレーム２０の足場板２１から降りることができる。
【００３２】
以上のように、本実施形態におけるタンクローリ１によれば、作業者は作業用昇降装置５を使用して地上とタンク３の上面との間を容易に自動昇降することが可能であり、地上とタンク３の上面との間を往復して作業する際の肉体的負担が軽減される。また、このタンクローリ１では、作業用昇降装置５がバンパー４とタンク３との間に配設されているので、タンクローリ１の走行時に作業用昇降装置５が邪魔になることがなく、作業用昇降装置５を装着したまま走行することが可能である。
【００３３】
なお、この作業用昇降装置５は、タンクローリ１以外に、コンテナなどの背高の運搬容器に適用することが可能である。特に、コンテナに適用する場合、コンテナ本体の側面に作業用昇降装置５を着脱可能な構成とすることが望ましい。これにより、コンテナをトレーラや船舶などに積載する際には、作業用昇降装置５をコンテナ本体の側面から取り外すことで、積載時に邪魔になることがない。
【００３４】
また、本実施形態における作業用昇降装置５は、伸縮シリンダ１４の縮退時にチェーン１３を引き下げることにより、タラップ１１の自重および作業者の体重を持ち上げ、タラップ１１を下げる際にはタラップ１１の自重および作業者の体重により伸縮シリンダ１４を伸長させるので、この伸縮シリンダ１４は引っ張り側にのみ荷重を受ける。したがって、伸縮シリンダ１４の座屈が起こることがなく、細い伸縮シリンダ１４により昇降可能なタラップ１１を実現できている。
【００３５】
また、伸縮シリンダ１４は圧油の出入りにより伸縮するため、タラップ１１を停止させる際には圧油の出入りを止めるだけで良く、ブレーキは不要である。また、タラップ１１の昇降速度は圧油の出入りの速度を調整することで任意に設定することが可能である。なお、伸縮シリンダ１４は、油圧に代えて空気圧を利用して伸縮させる空気圧シリンダを用いることも可能である。要するに、油や空気などの流体の出入りにより伸縮するシリンダを用いることが可能である。
【００３６】
また、この作業用昇降装置５では、定滑車１２および動滑車１５の組み合わせにより、伸縮シリンダ１４を縮退させてタラップ１１を昇降させるので、伸縮シリンダ１４のストロークに対してタラップ１１を２倍の高さまで上昇させることが可能となっており、限られた上下スペース内で高い位置までタラップ１１を昇降させることが可能である。なお、定滑車１２および動滑車１５の組み合わせは、本実施形態において説明した組み合わせに限らず、様々な組み合わせを適用することも可能である。
【００３７】
また、本実施形態における作業用昇降装置１１では、Ｌ字状に形成された昇降フレーム２０の垂直部分の上下左右の合計４カ所に配置された複数のガイドローラ２３が、支持フレーム１０内に支持されているので、タラップ１１が昇降する際に昇降フレーム２０がその姿勢を保ったまま上下に垂直に昇降することが可能となっており、タラップ１１が揺れたり、ふらついたりすることが防止されている。
【００３８】
なお、本実施形態においては、昇降フレーム２０を左右のガイドレール１０ａにより両持ちしているが、左右のいずれか一方のガイドレール１０ａを省略して片持ちする構成とすることも可能である。
【産業上の利用可能性】
【００３９】
本発明の作業用昇降装置は、タンクローリやコンテナなどの背高の運搬容器に付設され、地上と運搬容器の上面との間を自動昇降するための装置として有用である。
【符号の説明】
【００４０】
１  タンクローリ
２  シャシフレーム
３  タンク
４  バンパー
５  作業用昇降装置
１０  支持フレーム
１０ａ  ガイドレール
１０ａ’  開口部分
１０ｂ，１０ｃ  横杆
１０ｄ  定滑車支持部
１０ｅ  固定部
１１  タラップ
１２  定滑車
１３  チェーン
１４  伸縮シリンダ
１５  動滑車
２０  昇降フレーム
２１  足場板
２２  安全柵
２３  ガイドローラ
２４  ガイドローラ支持軸
２５  固定部
２６  安全鎖
【図１】
2010215119.tif 000003
【図２】
2010215119.tif 000004
【図３】
2010215119.tif 000005
【図４】
2010215119.tif 000006
【図５】
2010215119.tif 000007
【図６】
2010215119.tif 000008
【図７】
2010215119.tif 000009